(57)【要約】【課題】利便性の向上を図ること。【解決手段】インターホン玄関装置（子機１）は、子機側操作部１４と、表示部１８と、を備える。子機側操作部１４は、押し操作による操作入力を受け付ける複数の機能ボタン１４０を有する。表示部１８は、表示画面１８０を有する。表示部１８は、複数の機能ボタン１４０の機能を示すラベル情報Ｌ１を、複数の機能ボタン１４０の配置位置と対応する位置関係となるように画像表示する。各機能ボタン１４０が操作入力を受け付けたときに実行される機能は、表示画面１８０に表示されているラベル情報Ｌ１に応じて変化する。【選択図】図１
2019193233.tif 000002
【特許請求の範囲】
【請求項１】
押し操作による操作入力を受け付ける複数の機能ボタンを有した、操作部と、
表示画面を有する表示部と、
を備え、
前記表示部は、前記複数の機能ボタンの機能を示すラベル情報を、前記複数の機能ボタンの配置位置と対応する位置関係となるように画像表示し、
各機能ボタンが前記操作入力を受け付けたときに実行される機能は、前記表示画面に表示されている前記ラベル情報に応じて変化する、
インターホン玄関装置。
【請求項２】
前記複数の機能ボタンは、前記表示画面よりも下側に配置されている、押し込み可能な複数の操作部材を有する、
請求項１に記載のインターホン玄関装置。
【請求項３】
前記複数の機能ボタンは、前記表示画面の下縁に沿って並んで配置されている、
請求項２に記載のインターホン玄関装置。
【請求項４】
画像表示される前記ラベル情報は、
前記複数の機能ボタンにそれぞれ一対一で対応する複数の表示領域と、
前記複数の表示領域のいずれかの表示領域内に表示され、前記複数の機能ボタンのうち対応する機能ボタンの機能を示すラベルと、
を含み、
前記複数の表示領域の各々は、前記対応する機能ボタンと隣り合う機能ボタンの上側領域まではみ出ないように規定されている、
請求項２又は請求項３に記載のインターホン玄関装置。
【請求項５】
前記ラベル情報は、文字列データを含み、
前記表示部は、前記文字列データが所定の長さ以上であるとき、前記文字列データを複数の行又は列に分けて画像表示する、
請求項１〜４のいずれか１項に記載のインターホン玄関装置。
【請求項６】
前記操作入力を行う操作者を撮像する撮像部を、更に備え、
前記複数の機能ボタンは、前記撮像部よりも下側に配置されている、
請求項１〜５のいずれか１項に記載のインターホン玄関装置。
【請求項７】
前記表示部が特定の前記ラベル情報を画像表示しているとき、
前記複数の機能ボタンのうち少なくとも１つは、各々が１又は複数の呼出先を含む複数の呼出対象群の中から、特定の呼出対象群を選択可能な機能を有し、
前記複数の機能ボタンのうち他の少なくとも１つは、前記複数の呼出対象群のうち選択可能な呼出対象群を切り替える機能を有する、
請求項１〜６のいずれか１項に記載のインターホン玄関装置。
【請求項８】
前記操作部は、所定の機能を割り当て可能な補助ボタンを、更に有する、
請求項１〜７のいずれか１項に記載のインターホン玄関装置。
【請求項９】
前記表示部が特定の前記ラベル情報を画像表示しているとき、
前記複数の機能ボタンのうち少なくとも１つは、前記表示部が現在表示中の前記ラベル情報を別の前記ラベル情報が表示されるように表示画像を遷移させる機能を有する、
請求項１〜８のいずれか１項に記載のインターホン玄関装置。
【請求項１０】
外部からの所定の設定入力に基づいて、前記複数の機能ボタンに対して機能の割り当てを設定する設定部を、更に備える、
請求項１〜９のいずれか１項に記載のインターホン玄関装置。
【請求項１１】
前記設定部は、外部からの特定の設定入力に基づいて、前記表示画面に画像表示される前記ラベル情報を設定する、
請求項１０に記載のインターホン玄関装置。
【請求項１２】
前記ラベル情報は、第１機能群を示す第１ラベル情報と、第２機能群を示す第２ラベル情報と、を少なくとも含み、
前記表示部は、前記第１ラベル情報を第１画面状態において表示し、前記第２ラベル情報を第２画面状態において表示し、
前記表示部が前記第１画面状態から前記第２画面状態へ遷移すると、各機能ボタンが前記操作入力を受け付けたときに実行される機能も、第１機能群から第２機能群へ切り替わる、
請求項１〜１１のいずれか１項に記載のインターホン玄関装置。
【請求項１３】
請求項１〜１２のいずれか１項に記載のインターホン玄関装置と、
前記インターホン玄関装置と通信する通信装置と、
を備える、
インターホンシステム。
【請求項１４】
インターホン玄関装置の制御方法であって、
前記インターホン玄関装置は、
押し操作による操作入力を受け付ける複数の機能ボタンを有した、操作部と、
表示画面を有する表示部と、
を備え、
当該制御方法は、
前記複数の機能ボタンの機能を示すラベル情報を、前記複数の機能ボタンの配置位置と対応する位置関係となるように、前記表示部に、画像表示させる第１ステップと、
各機能ボタンが前記操作入力を受け付けたときに実行する機能を、前記表示画面に表示されている前記ラベル情報に応じて変化させる第２ステップと、
を含む、
制御方法。
【請求項１５】
コンピュータシステムに請求項１４に記載の制御方法を実行させる、
プログラム。
【発明の詳細な説明】
【技術分野】
【０００１】
本開示は、一般に、インターホン玄関装置、インターホンシステム、制御方法、及びプログラムに関する。本開示は、より詳細には、例えばロビー等の共用部に設置されるインターホン玄関装置、当該インターホン玄関装置を備えるインターホンシステム、当該インターホン玄関装置の制御方法、及びプログラムに関する。
【背景技術】
【０００２】
特許文献１には、インターホンシステムが記載されている。このインターホンシステムは、住戸の外玄関や集合住宅の共用玄関（ロビー）等に設置されるカメラ付きのインターホン子機（インターホン玄関装置）と、住戸内に設置されてインターホン玄関装置との間で通話を行うインターホン親機とで構成されている。
【０００３】
このインターホン玄関装置のハウジングの前面中央には、操作入力部の押釦スイッチを押操作するための２種類の操作部材が配置されている。一方の操作部材は、０〜９の数字や＊（アスタリスク）を入力するための押釦スイッチ等に対応している。他方の操作部材は、上記一方の操作部材を操作して入力された内容（例えば住戸番号）を確定して、親機へ呼出信号を送信するための押釦スイッチに対応している。
【先行技術文献】
【特許文献】
【０００４】
【特許文献１】特開２０１２−１５９７４号公報
【発明の概要】
【発明が解決しようとする課題】
【０００５】
ところで、例えば、１つのインターホン玄関装置で複数棟にわたって住戸内の住人の呼出を行いたい場合がある。また、集合住宅の管理室又は多目的ルームに対して直接呼出を行いたい場合もある。更に呼出以外の機能を付加したい場合もある。しかし、このような要望を、特許文献１のインターホンシステムで実現しようとすると、０〜９の数字とアスタリスクの組み合せでしか対応できず、使い勝手が悪くなる可能性がある。また、機能の数が増えるほど、組み合せが複雑になり得る。したがって、利便性の向上が望まれる。
【０００６】
本開示は上記事由に鑑みてなされ、利便性の向上を図ることができるインターホン玄関装置、インターホンシステム、制御方法、及びプログラムを提供することを目的とする。
【課題を解決するための手段】
【０００７】
本開示の一態様に係るインターホン玄関装置は、操作部と、表示部と、を備える。前記操作部は、押し操作による操作入力を受け付ける複数の機能ボタンを有する。前記表示部は、表示画面を有する。前記表示部は、前記複数の機能ボタンの機能を示すラベル情報を、前記複数の機能ボタンの配置位置と対応する位置関係となるように画像表示する。各機能ボタンが前記操作入力を受け付けたときに実行される機能は、前記表示画面に表示されている前記ラベル情報に応じて変化する。
【０００８】
本開示の一態様に係るインターホンシステムは、上記インターホン玄関装置と、当該インターホン玄関装置と通信する通信装置と、を備える。
【０００９】
本開示の一態様に係る制御方法は、インターホン玄関装置の制御方法である。前記インターホン玄関装置は、操作部と、表示部と、を備える。前記操作部は、押し操作による操作入力を受け付ける複数の機能ボタンを有する。前記表示部は、表示画面を有する。前記制御方法は、第１ステップと、第２ステップと、を含む。前記第１ステップにて、前記複数の機能ボタンの機能を示すラベル情報を、前記複数の機能ボタンの配置位置と対応する位置関係となるように、前記表示部に、画像表示させる。前記第２ステップにて、各機能ボタンが前記操作入力を受け付けたときに実行する機能を、前記表示画面に表示されている前記ラベル情報に応じて変化させる。
【００１０】
本開示の一態様に係るプログラムは、コンピュータシステムに上記制御方法を実行させる。
【発明の効果】
【００１１】
本開示によれば、利便性の向上を図ることができる、という利点がある。
【図面の簡単な説明】
【００１２】
【図１】図１は、本開示の一実施形態に係るインターホン玄関装置の正面図である。
【図２】図２Ａは、本開示の一実施形態に係るインターホンシステムの構成を示すブロック図である。図２Ｂは、同上のインターホン玄関装置における操作部の構成を示すブロック図である。
【図３】図３Ａ及び図３Ｂは、同上のインターホン玄関装置における表示部の表示画面に出力される基本案内画像の概念図である。
【図４】図４Ａ〜図４Ｅは、同上の表示画面に出力される第１〜第５案内画像の概念図である。
【図５】図５は、同上のインターホン玄関装置における機能群の説明図である。
【図６】図６Ａ〜図６Ｃは、同上のインターホン玄関装置の変形例１における表示画面に出力される第６〜第８案内画像の概念図である。
【図７】図７Ａ及び図７Ｂは、同上のインターホン玄関装置の変形例２における表示画面に出力される第９〜第１０案内画像の概念図である。
【発明を実施するための形態】
【００１３】
（１）概要
以下の実施形態において説明する図１〜図７Ｂは、模式的な図であり、図１〜図７Ｂ中の各構成要素の大きさや厚さそれぞれの比が、必ずしも実際の寸法比を反映しているとは限らない。
【００１４】
本実施形態に係るインターホンシステム１０は、例えばマンション等の集合住宅に適用される集合住宅用のインターホンシステムである。インターホンシステム１０では、図２Ａに示すように、子機１と各親機２とが制御装置３を介して通信を行う。ただし、本実施形態に係るインターホンシステム１０は、集合住宅以外に、戸建住宅に適用されてもよい。あるいは、インターホンシステム１０は、事務所、店舗、学校若しくは介護施設等の非住宅施設等に適用されてもよい。
【００１５】
本実施形態に係るインターホン玄関装置は、ここでは一例として、インターホンシステム１０における子機１であることを想定する（図２Ａ参照）。子機１は、例えば、ロビー等の集合住宅の共用部に設置される共用端末（ロビーインターホン）である。子機１は、例えば複数棟にわたって親機２との間で通信（例えば、通話、及び映像信号の送信等）を行うように構成されてもよい。本実施形態に係るインターホン玄関装置は、ロビーインターホンに限定されず、インターホンシステム１０におけるドアホン４に適用されてもよい。あるいは、インターホンシステム１０が戸建住宅に適用される場合、本実施形態に係るインターホン玄関装置は、門柱等に設置されてもよい。
【００１６】
ここで子機１（インターホン玄関装置）は、図１及び図２Ａに示すように、子機側操作部１４（操作部）と、表示部１８と、を備える。子機側操作部１４は、押し操作による操作入力を受け付ける複数（ここでは一例として４つ）の機能ボタン１４０を有している。ここで言う「押し操作」とは、ボタンが機械的に後退する押し込み操作であってもよいし、画面上におけるタッチ操作であってもよい。更にあるいは、「押し操作」とは、画面に限らず、タッチセンサー式のボタンへのタッチ操作であってもよい。本実施形態では、４つの機能ボタン１４０が、押し込み可能な複数の操作部材Ｍ１を有しているものとする。
【００１７】
表示部１８は、図１に示すように、表示画面１８０を有している。表示部１８は、４つの機能ボタン（ファンクションキー）１４０の機能を示すラベル情報Ｌ１を、４つの機能ボタン１４０の配置位置と対応する位置関係となるように画像表示する。
【００１８】
要するに、操作者Ｈ１（図１参照：例えば来訪者）がラベル情報Ｌ１を見たときに、各機能ボタン１４０が、どの機能に対応するものかを直感的に理解できる位置関係となっている。なお、図１では、撮像部１１で撮像されている操作者Ｈ１自身の映像が表示画面１８０に出力されている。
【００１９】
例えば、図１に示すように、４つの機能ボタン１４０が横一列に並んでいれば、ラベル情報Ｌ１における各機能を示すラベルＬ１００も、表示画面１８０上では、横一列に並んでいる（図１参照）。あるいは、（不図示であるが）４つの機能ボタン１４０が２行×２列で配置されていれば、ラベルＬ１００も、表示画面１８０上では、２行×２列で配置されてもよい。
【００２０】
そして、各機能ボタン１４０が操作入力を受け付けたときに実行される機能は、表示画面１８０に表示されているラベル情報Ｌ１に応じて変化する。
【００２１】
この構成によれば、複数の機能ボタン１４０が設けられていることで、操作者Ｈ１は、各機能ボタン１４０に予め割り当てられている機能を直接実行することができる。また、１つの機能ボタン１４０に対応する機能も、表示画面１８０に表示されているラベル情報Ｌ１に応じて変化するため、機能ボタン１４０の数を超える数の機能を、子機１（インターホン玄関装置）に付加できる。したがって、利便性の向上を図ることができる。
【００２２】
（２）詳細
次に、本実施形態に係る子機１（インターホン玄関装置）及びインターホンシステム１０についてより詳細に説明する。
【００２３】
以下では、ロビー等の共用部の造営面（例えば壁面）に子機１が取り付けられた状態での、水平面に対して垂直な（直交する）方向を「上下方向」とし、子機１を正面から見て下方（鉛直方向）を「下方」として説明する。また、上下方向と直交し、かつ造営面に平行な方向を「左右方向」とし、子機１を正面から見て右方を「右方」、左方を「左方」として説明する。さらに、上下方向と左右方向との両方に直交する方向、つまり造営面に直交する方向を「前後方向」とし、造営面の裏側（壁裏側）を「後方」として説明する。ただし、これらの方向は、子機１の使用方向を限定する趣旨ではない。
【００２４】
（２．１）全体構成
まず、インターホンシステム１０の全体構成について図２Ａを参照して説明する。
【００２５】
本実施形態に係るインターホンシステム１０は、図２Ａに示すように、子機１と、複数台（図２Ａでは２台）の親機２（通信装置）と、制御装置３と、複数台（図２Ａでは２台）のドアホン４と、複数台（図２Ａでは２台）の分岐器５と、を備えている。
【００２６】
複数台の親機２の各々は、例えば、集合住宅の各住戸内に設置される住戸端末である。各親機２は、子機１との間で通信（例えば、通話、及び映像信号の受信等）を行うように構成されている。各親機２は、子機１の撮像部１１で撮影された映像を表示する表示部２２を有している。親機２は、集合住宅の管理室及び多目的ルーム等にも設置されてもよい。多目的ルームは、例えば、集会場、ゲストルーム、キッズルーム、パーティールーム等の、集合住宅内の共用部施設である。
【００２７】
制御装置３は、子機１と各親機２との間において、呼出制御を行い、信号を中継するように構成されている。制御装置３は、例えば、管理室に設置されている。制御装置３は、例えば、来訪者が子機１を用いて親機２を呼び出したときに、子機１と親機２との間で送受信される信号を中継する。ここでは、制御装置３は、複数棟にわたって中継可能に構成されている。図２Ａは、インターホンシステム１０のうち「第１棟」に相当する構成の一部を示しているが、制御装置３は、例えば有線により、別の棟（例えば「第２棟」、「第３棟」・・・等）の親機２とも通信可能に構成されている。ただし、制御装置３が複数棟にわたって中継可能であることは、インターホンシステム１０において必須の構成要素ではない。
【００２８】
複数台のドアホン４の各々は、例えば、集合住宅の各住戸の外玄関に設置されている。複数台のドアホン４は、複数台の親機２と一対一に対応している。各ドアホン４は、対応する親機２との間で通信（例えば、通話、及び映像信号の送信等）を行うように構成されている。なお、多目的ルーム等に設置されている親機２に対しては、ドアホン４が接続されてなくてもよい。
【００２９】
子機１は、第１幹線６１を介して制御装置３に接続されている。複数台の分岐器５の各々は、第２幹線６２に挿入されており、第２幹線６２に対して複数台の親機２を接続可能にする。本実施形態では、第２幹線６２から複数の分岐線６３に分岐しており、複数台の分岐器５は、第２幹線６２における複数の分岐線６３の分岐点にそれぞれ設けられている。これにより、各親機２は、分岐器５を介して第２幹線６２に対して接続可能になる。
【００３０】
各親機２は、第２幹線６２、分岐線６３及び分岐器５を介して制御装置３に接続されている。各ドアホン４は、接続線６４を介して対応する親機２に接続されている。第１幹線６１、第２幹線６２、分岐線６３及び接続線６４の各々は、例えば、ツイストペアケーブルからなる。
【００３１】
（２．２）子機の構成
次に、子機１の構成について説明する。子機１は、図２Ａに示すように、撮像部１１と、子機側伝送部１２と、子機側制御部１３と、子機側操作部（操作部）１４と、映像処理部１５と、記憶部１６と、センサ１７と、表示部１８と、を有している。さらに、子機１は、親機２との間で通話を実現するための通話部１９（スピーカ及びマイクロホンを含む）等を有している。また、子機１は、上述した構成要素を収容又は保持する筐体Ｘ１（図１参照）を有している。
【００３２】
筐体Ｘ１は、全体としてへん平な矩形の箱形状に形成されている。筐体Ｘ１は、図１に示すように、その正面側において、正面視が矩形の本体カバーＸ１０と、本体カバーＸ１０の周囲を囲む矩形枠状の化粧カバーＸ１１とを有している。撮像部１１は、本体カバーＸ１０の前面の上部中央において露出するように配置されている。表示部１８は、本体カバーＸ１０の前面における撮像部１１の直ぐ下に配置されている。子機側操作部１４は、本体カバーＸ１０の前面における表示部１８より下側に配置されている。
【００３３】
本体カバーＸ１０は、その前面における撮像部１１の左横に複数の窓孔Ｘ１２を有している。窓孔Ｘ１２は、親機２の側の人と通話する人（例えば操作者Ｈ１）が発した音声を、通話部１９のマイクロホンに導入するための貫通孔である。本体カバーＸ１０は、その前面における右下隅に複数の音響孔Ｘ１３を有している。音響孔Ｘ１３は、通話部１９のスピーカからの受話音を外部に導出するための貫通孔である。
【００３４】
撮像部１１は、撮像素子を有し、被写体を撮像するためのカメラである。ここでは被写体は、来訪者等の操作者Ｈ１とする。本実施形態では、操作者Ｈ１が子機１を操作する際に少なくとも操作者Ｈ１の顔を撮像できるように、撮像部１１の撮像エリア（視野）は、子機１の前方に設定されている。本実施形態では、撮像部１１は動画を撮像するカメラである。さらに、本実施形態では、撮像部１１はカラー画像を撮像するカメラである。
【００３５】
撮像素子は、例えば、ＣＣＤ（Charge Coupled Devices）イメージセンサ、又はＣＭＯＳ（Complementary Metal-Oxide Semiconductor）イメージセンサ等の二次元イメージセンサである。撮像部１１は、被写体からの光をレンズ等の光学系によって撮像素子の撮像面（受光面）上に結像させ、撮像素子にて被写体からの光を電気信号に変換する。そして、撮像部１１は、撮像素子の出力信号を映像信号として映像処理部１５へ出力する。
【００３６】
子機側伝送部１２は、親機２と通信するための通信インタフェースである。子機側伝送部１２は、第１幹線６１を介して制御装置３に接続されている。図２Ａでは、第１幹線６１を１本の線で示している。子機側伝送部１２は、制御装置３の通信部３２を介して、親機２との間で双方向に通信可能に構成されている。子機側伝送部１２は、親機２に対して通信信号を送信するように構成されている。通信信号には、音声信号、映像信号及び制御信号等が含まれている。また、子機側伝送部１２は、通信部３２を介して親機２から送信される通信信号を受信し、受信した通信信号を復調することで音声信号等を取得する。音声信号は、子機側制御部１３を介して通話部１９へ出力される。
【００３７】
子機側操作部１４は、人（操作者Ｈ１）の操作を受け付けるように構成されている。子機側操作部１４は、図１及び図２Ｂに示すように、押し操作による操作入力を受け付ける４つの機能ボタン１４０を有している。各機能ボタン１４０は、操作部材Ｍ１（図１参照）と、操作部材Ｍ１の背面側において操作部材Ｍ１と対向するように筐体Ｘ１内に収容されている押しボタンスイッチと、から構成されている。
【００３８】
各操作部材Ｍ１は、合成樹脂等により形成されている。各操作部材Ｍ１は、正面から見て、左右方向に長尺の細長い矩形状となっている。各操作部材Ｍ１は、その前面側が筐体Ｘ１の前面よりも突出するように筐体Ｘ１によって保持されている。押しボタンスイッチは、筐体Ｘ１内において、各種の回路を構成する回路部品が実装されている実装基板に実装されている。操作部材Ｍ１は、操作者Ｈ１の指先等で押し込まれることで、奥側にある押しボタンスイッチがオンされて操作入力が受け付けられる。なお、以下では、説明の便宜上、機能ボタン１４０と操作部材Ｍ１とを特に区別することなく説明する場合もある。
【００３９】
４つの機能ボタン１４０は、筐体Ｘ１の前面において、表示部１８の表示画面１８０よりも下側に配置されている。そのため、例えば機能ボタン１４０が表示画面１８０の左右の側や上側に配置されている場合に比べて、表示画面１８０が操作者Ｈ１の手等で隠れてしまい利便性が低下する可能性を低減できる。
【００４０】
また、４つの機能ボタン１４０は、左右方向に沿って並んでいる。各機能ボタン１４０の長手方向も、左右方向に沿うように配置されている。特に、４つの機能ボタン１４０は、表示画面１８０の下縁Ｅ１（図１参照）に沿って並んで配置されている。以下では、４つの機能ボタン１４０を、左側から順に、第１機能ボタン１４１、第２機能ボタン１４２、第３機能ボタン１４３、及び第４機能ボタン１４４と、呼ぶこともある。各機能ボタン１４０を押すことで実行される機能については、後の「（２．５）機能ボタン」の欄で詳しく説明する。
【００４１】
子機側操作部１４は、図１及び図２Ｂに示すように、機能ボタン１４０以外に「０」〜「９」の１０個の数字ボタンＮ１（いわゆるテンキー）と、アスタリスク（＊）ボタンＮ２と、消ボタンＮ３と、呼出ボタンＮ４と、を有している。これらのボタンＮ１〜Ｎ４の各々は、機能ボタン１４０と同様に、後方へ押し込み可能な操作部材と、押しボタンスイッチとから構成されている。ボタンＮ１〜Ｎ３の各々の操作部材は、互いに共通の構成を有している。一方、呼出ボタンＮ４の操作部材は、正面から見たときに、数字ボタンＮ１の操作部材の約３個分の長さ寸法を有している。ボタンＮ１〜Ｎ３は、４行×３列のマトリックスで配置されている。呼出ボタンＮ４は、一番下に配置されている。このような配置関係は、単なる一例であり、特に限定されない。
【００４２】
例えば、操作者Ｈ１が、子機１で、部屋番号（住戸番号）「１０２４号室」の住人を呼び出したい場合、筐体Ｘ１の前面に表記されている０〜９の数字のうち、対応する数字の下にある数字ボタンＮ１を順に押していき、部屋番号を入力する。入力された部屋番号は、数字ボタンＮ１を押すたびに順次、表示画面１８０に映し出される。最後に、操作者Ｈ１が、呼出ボタンＮ４を押すことで、部屋番号の入力が確定されて、部屋番号「１０２４」の住戸の親機２に対して呼出が実行される。消ボタンＮ３は、例えば、誤って入力した数字を消去できるボタンである。また呼出中に、消ボタンＮ３を押すことで、呼出がキャンセルされてもよい。
【００４３】
ここでは、一例として、アスタリスクボタンＮ２が、所定の機能を割り当て可能な補助ボタンＰ１に相当する。アスタリスクボタンＮ２は、例えば、単独の押し操作（短押しや長押しも含む）で、又は、数字ボタンＮ１との組み合せによる押し操作で、所定の機能を実行できるボタンである。ただし、補助ボタンＰ１に関しては、機能ボタン１４０とは異なり、表示部１８でその機能を示すラベル情報が出力されない。例えば、「１＊１０２４」と順に入力すると、第１棟の１０２４号室の親機２に対して呼出が実行される。なお、補助ボタンＰ１は、アスタリスクボタンＮ２のみに限定されず、例えば、消ボタンＮ３を更に含んでもよい。例えば、アスタリスクボタンＮ２を長押ししたり、消ボタンＮ３を長押ししたりすることで、別の機能が実行されてもよい。
【００４４】
映像処理部１５は、撮像部１１から出力される映像信号を受けて、信号処理により映像信号に含まれる映像を処理するように構成されている。映像処理部１５は、例えば、ＤＳＰ（Digital Signal Processor）又はＦＰＧＡ（Field-Programmable Gate Array）等のデバイスにて実現される。
【００４５】
センサ１７は、例えば焦電型の赤外線センサであり、人等が動く際に生じる赤外線の変化量を検出することによって人等を検出する。センサ１７は省略されていてもよい。
【００４６】
子機側制御部１３は、例えば、ＣＰＵ（Central Processing Unit）及びメモリを主構成とするマイクロコンピュータにて構成されている。そして、ＣＰＵがメモリに格納されているプログラムを実行することにより、マイクロコンピュータが子機側制御部１３として機能する。ＣＰＵが実行するプログラムは、ここではマイクロコンピュータのメモリに予め記録されているが、メモリカード等の記録媒体に記録されて提供されてもよいし、インターネット等の電気通信回線を通じて提供されてもよい。
【００４７】
子機側制御部１３は、撮像部１１及び子機側伝送部１２を制御するように構成されている。さらに、子機側制御部１３は、映像処理部１５及び表示部１８を制御するように構成されている。
【００４８】
子機側制御部１３は、撮像部１１を制御することによって、撮像部１１に映像を撮像させる。本実施形態では、子機側制御部１３は、例えば、センサ１７で来訪者等の人を検出すると撮像部１１を起動して人の撮像を開始する。子機側制御部１３は、表示部１８を制御することによって、部屋番号の入力を案内する案内画像に、撮像部１１で撮像中のリアルタイムの映像を重ねて、表示画面１８０に出力する（図３Ａ参照）。また、子機側制御部１３は、呼出先である親機２を呼出中、及び子機１と親機２との間で通信中に撮像部１１で撮像した映像を、親機２に送出する。
【００４９】
子機側制御部１３は、子機側伝送部１２を制御することによって、子機側伝送部１２に親機２への通信信号を送信させ、かつ子機側伝送部１２に親機２からの通信信号を受信させる。親機２への通信信号には、音声信号、映像信号及び制御信号等が含まれている。また、親機２からの通信信号には、音声信号及び制御信号等が含まれている。
【００５０】
子機側制御部１３は、映像処理部１５を制御することによって、映像処理部１５に撮像部１１からの映像信号に含まれる映像を処理させる。映像処理部１５にて処理された映像は、子機側伝送部１２から親機２に送信される。
【００５１】
子機側制御部１３は、子機側操作部１４にて受け付けられた操作入力に応じて、各種の機能を実行するように構成されている。特に、子機側制御部１３は、現在、表示画面１８０で表示中の案内画像との関係性に基づき、当該案内画像と対応する機能を実行するように構成されている。例えば、表示画面１８０で部屋番号の入力を催促する案内画像が表示されている最中に、数字ボタンＮ１が操作されると、入力された数字を表示画面１８０上に出力していく。
【００５２】
また子機側制御部１３は、各機能ボタン１４０が操作入力を受け付けたときに、所定の機能を実行するように構成されている。特に、子機側制御部１３は、同じ機能ボタン１４０が押し操作されても、実行する機能を、現在、表示画面１８０で表示中の（後述の）ラベル情報Ｌ１に応じて変化させる。要するに、子機側制御部１３は、ある機能ボタン１４０が押し操作されると、常に同じ機能を実行するのではなく、現在、表示中のラベル情報Ｌ１に応じて、異なる機能を実行する。つまり、本実施形態の子機１では、同じ１つの機能ボタン１４０に対して、ラベル情報Ｌ１に応じて変化する複数の機能が割り当て可能となっている。
【００５３】
記憶部１６は、読み書き可能なメモリで構成されている。記憶部１６は、例えばフラッシュメモリである。記憶部１６は、撮像部１１で撮像した映像を記憶する。本実施形態の記憶部１６は、子機側制御部１３の外部に設けられているが、子機側制御部１３の内部に設けられていてもよい。すなわち、記憶部１６は、子機側制御部１３の内蔵メモリであってもよい。子機側制御部１３の内蔵メモリ（又は記憶部１６）は、表示部１８で出力される複数種類の案内画像、及び複数のラベル情報Ｌ１に関する画像データを記憶する。また子機側制御部１３の内蔵メモリ（又は記憶部１６）は、ラベル情報Ｌ１と、子機側制御部１３の各種ボタンが操作入力を受け付けたときに実行すべき機能とが対応付けされた対応関係を記憶する。
【００５４】
表示部１８は、例えば液晶ディスプレイからなる表示画面１８０を有している。表示画面１８０は、左右方向に長尺の矩形状に形成されている。表示部１８は、子機側制御部１３の制御下で、図３Ａ〜図４Ｅに示すように種々の案内情報を出力（画像表示）する。図３Ａは、表示画面１８０に出力される基本案内画像ＩＭ０の概念図を示す。表示部１８は、センサ１７で来訪者等の人を検出すると、基本案内画像ＩＭ０の出力を開始する。図４Ａ〜図４Ｅは、表示画面１８０に出力される第１案内画像ＩＭ１〜第５案内画像ＩＭ５の概念図である。
【００５５】
子機側制御部１３は、基本案内画像ＩＭ０が出力されている状態で、子機側操作部１４にて操作入力を受け付けると、その操作入力に対応した機能の実行を開始するとともに、案内画像を第１案内画像ＩＭ１〜第４案内画像ＩＭ４のいずれかに遷移させる。第５案内画像ＩＭ５は、通話中に出力される画像である。これらの案内画像ＩＭ０〜ＩＭ５は、単なる一例であり、案内画像の種類の数、及びその表示内容は、特に限定されない。
【００５６】
表示部１８は、子機側制御部１３の制御下で、撮像部１１で撮像される来訪者（操作者Ｈ１）自身の映像を表示する。表示部１８は、例えば、案内画像の略中央に、撮像部１１で撮像中のリアルタイムの映像を重ねて出力する（図３Ａ参照）。なお、図４Ｂ及び図４Ｃに示すように、呼出先である親機２の呼出最中や通話中では、操作者Ｈ１の映像は、表示画面１８０に出力されず、親機２の側に出力される。
【００５７】
また表示部１８は、子機側制御部１３の制御下で、ラベル情報Ｌ１を画像表示する（図３Ａ参照）。ラベル情報Ｌ１は、最大で４つの機能ボタン１４０の機能を示す。基本案内画像ＩＭ０は、ラベル情報Ｌ１を含む。また、他の幾つかの案内画像もラベル情報Ｌ１を含む。ラベル情報Ｌ１は、案内画像が切り替わるとその内容も変化する場合がある。表示部１８は、ラベル情報Ｌ１を、４つの機能ボタン１４０の配置位置と対応する位置関係となるように画像表示する。
【００５８】
ラベル情報Ｌ１は、複数種類あり、第１ラベル情報Ｌ１１と第２ラベル情報Ｌ１２とを少なくとも含む。ここでは、ラベル情報Ｌ１は、第１〜第３ラベル情報Ｌ１１〜Ｌ１３を含むことを想定する。第１ラベル情報Ｌ１１は、基本案内画像ＩＭ０（図３Ａ参照）、及び第４案内画像ＩＭ４（図４Ｄ参照）のラベル情報である。第２ラベル情報Ｌ１２は、第１案内画像ＩＭ１（図４Ａ参照）のラベル情報である。第３ラベル情報Ｌ１３は、第５案内画像ＩＭ５（図４Ｅ参照）のラベル情報である。なお、第２〜第３案内画像ＩＭ２〜ＩＭ３は、ラベル情報を含まない。
【００５９】
各ラベル情報Ｌ１は、複数の表示領域（Ｒ１〜Ｒ４）と、ラベルＬ１００（ここでは最大で４つのラベルＬ１００）と、を含む。表示領域Ｒ１〜Ｒ４は、４つの機能ボタン１４０にそれぞれ一対一で対応する。第１機能ボタン１４１の真上に表示領域Ｒ１があり、第２機能ボタン１４２の真上に表示領域Ｒ２がある。また、第３機能ボタン１４３の真上に表示領域Ｒ３があり、第４機能ボタン１４４の真上に表示領域Ｒ４がある。
【００６０】
第１ラベル情報Ｌ１１は、ラベルＬ１０１〜Ｌ１０３（図３Ａ参照）に対応する３つの機能からなる第１機能群ＦＧ１（図５参照）を示す情報である。第２ラベル情報Ｌ１２は、ラベルＬ１０４〜Ｌ１０６（図４Ａ参照）に対応する３つの機能からなる第２機能群ＦＧ２（図５参照）を示す情報である。第３ラベル情報Ｌ１３は、ラベルＬ１０７、Ｌ１０８（図４Ｅ参照）に対応する２つの機能からなる第３機能群ＦＧ３（図５参照）を示す情報である。なお、第１機能群ＦＧ１〜第３機能群ＦＧ３を含む機能群ＦＧ０は、子機側制御部１３の内蔵メモリ（又は記憶部１６）に記憶される。
【００６１】
表示部１８は、第１ラベル情報Ｌ１１を、第１画面状態（基本案内画像ＩＭ０又は第４案内画像ＩＭ４の出力状態）において表示する。表示部１８は、第２ラベル情報Ｌ１２を、第２画面状態（第１案内画像ＩＭ１の出力状態）において表示する。表示部１８は、第３ラベル情報Ｌ１３を、第３画面状態（第５案内画像ＩＭ５の出力状態）において表示する。例えば表示部１８が第１画面状態から第２画面状態へ遷移すると、各機能ボタン１４０に対応する機能も、第１機能群ＦＧ１から第２機能群ＦＧ２へ切り替わる。したがって、子機側制御部１３にて、各機能ボタン１４０に対応する機能の切り替えが容易に行われる。
【００６２】
表示領域Ｒ１〜Ｒ４の各々は、対応する機能ボタン１４０と隣り合う機能ボタン１４０の上側領域まではみ出ないように規定されている。具体的には、表示領域Ｒ２は、対応する第２機能ボタン１４２と隣り合う第１機能ボタン１４１（又は第３機能ボタン１４３）の上側領域まではみ出ないように規定されている。そのため、４つの機能ボタン１４０と、ラベル情報Ｌ１に示されている機能との対応関係が更に分かり易くなる。また子機１全体としての外観上の見栄えも向上される。
【００６３】
なお、表示領域Ｒ１〜Ｒ４は、視認不可能なデータ上の領域でもよいし、視認可能な領域でもよい。視認可能な領域としては、例えば、四角い枠で囲まれた画像領域でもよいし、周囲の色と異なる色で表示された画像領域でもよい。
【００６４】
ラベルＬ１００は、表示領域Ｒ１〜Ｒ４のいずれかの表示領域内に表示され、４つの機能ボタン１４０のうち対応する機能ボタン１４０の機能を示す。案内画像内に、ラベルＬ１００が含まれているとき、そのラベルＬ１００の真下にある機能ボタン１４０を押すことで、ラベルＬ１００が示す機能が実行される。言い換えると、表示領域Ｒ１〜Ｒ４内に、常に４つのラベルＬ１００が表示されるものではなく、例えば左から順に３つのラベルＬ１００だけが表示される場合もある（図３Ａ参照）。例えば、一番右の表示領域Ｒ４内にラベルＬ１００が表示されていない場合、第４機能ボタン１４４が押し操作されても、機能は何も実行されない。
【００６５】
ところで、子機側制御部１３は、図２Ａに示すように、設定部１３０としての機能を有している。設定部１３０は、外部（例えば子機１の施工者又は子機１の管理者）からの所定の設定入力に基づいて、４つの機能ボタン１４０に対して機能の割り当てを設定する。
【００６６】
例えば、表示部１８にて特定の案内画像が出力されている状態で、管理者が、子機側操作部１４等を用いて住人等が知らないセキュアレベルの高い特定の操作入力を行うと、子機側制御部１３は、表示部１８に設定用の案内画像を出力させる。管理者は、設定用の案内画像に表示されている案内情報を見ながら、各機能ボタン１４０に対して、どのラベル情報Ｌ１のラベルＬ１００に、どの機能を割り当てるかの設定入力を行う。表示部１８が例えばタッチパネルディスプレイであれば、指先でのタッチ操作により、各機能ボタン１４０に対して、各ラベルＬ１００に対応する機能を、プルダウンメニューで表示される複数種類の機能のリストから選択してもよい。ここで入力された情報は、子機側制御部１３の内蔵メモリ（又は記憶部１６）に記憶される。
【００６７】
つまり、同じ１つの機能ボタン１４０（例えば第１機能ボタン１４１）に関して、第１ラベル情報Ｌ１１には「機能Ａ」を、第２ラベル情報Ｌ１２には「機能Ｂ」を、といったように、実行される機能を複数設定が可能である。なお、子機１が製造された段階では、例えば、子機側制御部１３の内蔵メモリには、設定可能な複数種類の機能が登録されていて、デフォルトとして標準的な機能が機能ボタン１４０に割り当てられている。設定可能な機能の種類は、メモリカードや電気通信回線等を通じて、子機１の施工後も追加可能であってもよい。
【００６８】
このように子機側制御部１３が設定部１３０としての機能を有していることで、子機１の設置環境、又は要望等に応じた機能の割り当てが可能となる。
【００６９】
また、設定部１３０は、外部（施工者又は管理者等）からの特定の設定入力に基づいて、表示画面１８０に画像表示されるラベル情報Ｌ１を設定するように構成されてもよい。例えば、基本案内画像ＩＭ０にどのラベル情報Ｌ１を表示させるかについて設定できてもよい。また、ラベル情報Ｌ１に含まれるラベルＬ１００を文字列データの単位で変更できてもよい。設定入力は、表示部１８にて設定用の案内画像に表示されている案内情報を見ながら、子機側操作部１４及び画面上のタッチ操作等により行えることが望ましい。この場合、子機１の設置環境、又は要望等に応じたラベル表示が可能となる。
【００７０】
ところで、本実施形態では、４つの機能ボタン１４０が、撮像部１１よりも下側に配置されている。そのため、操作者Ｈ１が機能ボタン１４０の操作中において、操作者Ｈ１の手等が撮像部１１の撮像領域内に侵入してしまい操作者Ｈ１の顔を適切に撮像できない可能性を低減できる。
【００７１】
（２．３）親機の構成
次に、親機２の構成について説明する。親機２は、図２Ａに示すように、親機側伝送部２１と、表示部２２と、親機側制御部２３と、親機側操作部２４と、映像処理部２５と、記憶部２６と、通知部２７と、を有している。さらに、親機２は、子機１及びドアホン４との間で通話を実現するための通話部２９（スピーカ及びマイクロホンを含む）等を有している。
【００７２】
親機側伝送部２１は、子機１及びドアホン４と通信するための通信インタフェースである。親機側伝送部２１は、第２幹線６２、分岐線６３及び分岐器５を介して制御装置３に接続されている。図２Ａでは、第２幹線６２及び分岐線６３を１本の線で示している。親機側伝送部２１は、制御装置３の通信部３２を介して、子機１との間で双方向に通信可能に構成されている。親機側伝送部２１は、子機１に対して通信信号を送信するように構成されている。通信信号には、音声信号及び制御信号等が含まれている。また、親機側伝送部２１は、通信部３２を介して子機１から送信される通信信号を受信し、受信した通信信号を復調することで音声信号及び映像信号等を取得する。音声信号は、親機側制御部２３を介して通話部２９へ出力され、映像信号は、親機側制御部２３を介して表示部２２へ出力される。
【００７３】
表示部２２は、映像処理部２５からの映像（例えば子機１の撮像部１１で撮像された映像）を表示するように構成されている。表示部２２は、例えば液晶ディスプレイである。親機２がタッチパネルディスプレイを備えている場合には、タッチパネルディスプレイが表示部２２と親機側操作部２４とを兼ねてもよい。
【００７４】
親機側操作部２４は、人（例えば住人）の操作を受け付けるように構成されている。親機側伝送部２１が住人を呼び出すための呼出信号を受信している状態で、親機側操作部２４に対して所定の操作（例えば押し操作）が行われると、子機１と親機２との間で音声通話が可能な状態となる。
【００７５】
映像処理部２５は、親機側伝送部２１にて受信した子機１からの映像信号を受けて、信号処理により映像信号に含まれる映像を処理するように構成されている。映像処理部２５は、例えば、複数の映像を合成する合成処理を行うように構成されている。映像処理部２５は、例えば、ＤＳＰ又はＦＰＧＡ等のデバイスにて実現される。
【００７６】
親機側制御部２３は、例えば、ＣＰＵ及びメモリを主構成とするマイクロコンピュータにて構成されている。そして、ＣＰＵがメモリに格納されているプログラムを実行することにより、マイクロコンピュータが親機側制御部２３として機能する。ＣＰＵが実行するプログラムは、ここではマイクロコンピュータのメモリに予め記録されているが、メモリカード等の記録媒体に記録されて提供されてもよいし、インターネット等の電気通信回線を通じて提供されてもよい。
【００７７】
親機側制御部２３は、親機側伝送部２１及び表示部２２を制御するように構成されている。さらに、親機側制御部２３は、映像処理部２５を制御するように構成されている。親機側制御部２３は、親機側伝送部２１を制御することによって、親機側伝送部２１に子機１への通信信号を送信させ、かつ親機側伝送部２１に子機１からの通信信号を受信させる。子機１への通信信号には、音声信号及び制御信号等が含まれている。また、子機１からの通信信号には、音声信号、映像信号及び制御信号等が含まれている。親機側制御部２３は、表示部２２を制御することによって、子機１から送られてくる映像を表示部２２に表示させる。
【００７８】
記憶部２６は、読み書き可能なメモリで構成されている。記憶部２６は、例えばフラッシュメモリである。記憶部２６は、子機１から送られてきた映像を記憶する。本実施形態では、記憶部２６は、親機側制御部２３の外部に設けられているが、親機側制御部２３の内部に設けられていてもよい。すなわち、記憶部２６は、親機側制御部２３の内蔵メモリであってもよい。
【００７９】
通知部２７は、例えば呼出音を出力するように構成されている。親機側制御部２３は、子機１からの呼び出しがあると、所定のタイミングで通知部２７に呼出音を出力させる。言い換えると、親機側制御部２３は、子機１からの呼び出しがあると、子機１からの呼び出しがあったことを通知する通知動作を通知部２７に行わせる。なお、通知部２７は、呼出音ではなく、音声を出力するように構成されてもよい。
【００８０】
（２．４）制御装置の構成
次に、制御装置３の構成について説明する。制御装置３は、図２Ａに示すように、信号処理部３１と、通信部３２と、を有している。
【００８１】
通信部３２は、子機１及び親機２と通信するための通信インタフェースである。通信部３２は、第１幹線６１を介して子機１に接続されている。また、通信部３２は、第２幹線６２、分岐線６３及び分岐器５を介して親機２に接続されている。通信部３２は、子機１の子機側伝送部１２との間で双方向に通信可能に構成されている。また、通信部３２は、親機２の親機側伝送部２１との間で双方向に通信可能に構成されている。つまり、通信部３２は、親機側伝送部２１と子機側伝送部１２との間の通信を中継するように構成されている。したがって、通信部３２は、子機１の子機側伝送部１２から送信される通信信号を中継して複数台の親機２に送信する。ここで、子機１から送信される通信信号には、送信先となる親機２を特定するための情報（例えばアドレス等）が含まれている。このため、複数台の親機２のうち自己に割り当てられたアドレスと通信信号に含まれるアドレスとが一致する親機２のみが通信信号を受信することができる。また、通信部３２は、複数台の親機２の各々から送信される通信信号を中継して子機１に送信する。
【００８２】
信号処理部３１は、例えば、ＣＰＵ及びメモリを主構成とするマイクロコンピュータにて構成されている。そして、ＣＰＵがメモリに格納されているプログラムを実行することにより、マイクロコンピュータが信号処理部３１として機能する。ＣＰＵが実行するプログラムは、ここではマイクロコンピュータのメモリに予め記録されているが、メモリカード等の記録媒体に記録されて提供されてもよいし、インターネット等の電気通信回線を通じて提供されてもよい。
【００８３】
信号処理部３１は、通信部３２を制御するように構成されている。具体的には、信号処理部３１は、通信部３２を制御することによって、子機１から送信される通信信号を複数台の親機２に送信させ、かつ複数台の親機２の各々から送信される通信信号を子機１に送信させる。
【００８４】
（２．５）機能ボタン
以下、機能ボタン１４０を押すことで実行される機能について、図３Ａ〜図４Ｅに示す案内画像ＩＭ０〜ＩＭ５を参照しながら詳しく説明する。以下に説明する機能の種類は、単なる一例であって特に限定されない。また、どの機能がどの機能ボタン１４０に割り当てられているかについても特に限定されない。機能の割り当ては、インターホンシステム１０の設置環境、又は要望等に応じて、設定部１３０を介して適宜に変更されてよい。
【００８５】
図３Ａの基本案内画像ＩＭ０は、ラベル情報Ｌ１として、第１ラベル情報Ｌ１１を含んでいる。第１ラベル情報Ｌ１１は、例えば、ラベルＬ１０１〜Ｌ１０３を含んでいる。
【００８６】
図３ＡのラベルＬ１０１は「Ｅｎｇｌｉｓｈ」を示している。操作者Ｈ１が、ラベルＬ１０１の下の第１機能ボタン１４１を押すと、案内画像内に表示されている日本語の文字案内が英語の文字案内に切り替わる（図４Ａ参照：第１案内画像ＩＭ１）。このとき、各機能ボタン１４０の機能も、第１機能群ＦＧ１から第２機能群ＦＧ２へ切り替わる。
【００８７】
図４Ａの第１案内画像ＩＭ１は、ラベル情報Ｌ１として、第２ラベル情報Ｌ１２を含んでいる。一番左のラベルＬ１０４は「日本語」を示している。第１機能ボタン１４１を押すと、案内画像内に表示されている英語の文字案内が、元の日本語の文字案内に切り替わる。また、各機能ボタン１４０の機能も、第２機能群ＦＧ２から元の第１機能群ＦＧ１へ切り替わる。
【００８８】
なお、図３ＢのラベルＬ１０１の「Ｅｎｇｌｉｓｈ（英語）」のように、ラベル情報Ｌ１が所定の長さ以上である文字列データを含むとき、表示部１８は、文字列データを複数の行又は列（ここでは２行）に分けて画像表示してもよい。この場合、たとえ文字列データが所定の長さ以上であっても、４つの機能ボタン１４０とラベル情報Ｌ１に示されている機能との対応関係を分かり易くできる。また子機１全体としての外観上の見栄えも向上される。
【００８９】
図３ＡのラベルＬ１０２は「管理室」を示している。操作者Ｈ１が、ラベルＬ１０２の下の第２機能ボタン１４２を押すと、管理室への呼出が開始される（図４Ｂ参照：第２案内画像ＩＭ２）。この場合、各機能ボタン１４０の機能は、一時的に「無効状態」に切り替わる。つまり、第２案内画像ＩＭ２の画面状態では、どの機能ボタン１４０が押し操作されても、機能は何も実行されない。なお、管理室への呼出に関して、呼出ボタンＮ４の押し操作は不要でもよいし、第２機能ボタン１４２の操作後に更に呼出ボタンＮ４が押されてから、管理室への呼出が開始されてもよい。
【００９０】
図３ＡのラベルＬ１０３は「お知らせ」を示している。操作者Ｈ１が、ラベルＬ１０３の下の第３機能ボタン１４３を押すと、「お知らせ」に関する動作処理が開始される（図４Ｄ参照：第４案内画像ＩＭ４）。第４案内画像ＩＭ４は、基本案内画像ＩＭ０とほぼ同じであるが、表示画面１８０内の上部領域に表示されていた「部屋番号を押してください」という案内情報が、例えば「ＩＤ照合キーをかざしてください」という案内情報に切り替わる。ただし、各機能ボタン１４０の機能は、第１機能群ＦＧ１の状態に維持される。第４案内画像ＩＭ４の画面状態で、例えば筐体Ｘ１の下部にあるＩＤ照合部Ｙ１（非接触キーリーダー）にＩＤ照合キーを有するＩＤカードをかざすことで、認証に成功すれば、種々のサービス情報が表示される案内画像（不図示）に遷移する。この「お知らせ」機能は、主に来訪者向けではなく、ＩＤカードを所有する住人向けのサービス情報を提供する機能である。ＩＤカードを所有する住人が、この機能を実行することで、遷移後の案内画像にて、住戸玄関の施錠、解錠に関する情報や、宅配物の有無、住戸内の警報発生状況等を確認することができる。
【００９１】
なお、基本案内画像ＩＭ０（又は第１案内画像ＩＭ１）のように「部屋番号を押してください」という案内情報が出力されている状態で、数字ボタンＮ１を用いて部屋番号を入力して呼出ボタンＮ４を押すと、第３案内画像ＩＭ３に遷移する（図４Ｃ参照）。そして、該当する部屋番号（図示例では１０２４号室）の呼出先に対して呼出が開始される。この場合も、各機能ボタン１４０の機能は、一時的に「無効状態」に切り替わる。なお、第３案内画像ＩＭ３が出力されているときに「お取次ぎしますので、お名前をお話ください」という案内情報に従って、操作者Ｈ１が音声を吹き込むと、その音声データが録音され、親機２の側でその内容が呼出中に報知される。
【００９２】
図４Ｅの第５案内画像ＩＭ５は、通話中であることを案内する画像である。例えば、呼出中の案内画像である第２案内画像ＩＭ２又は第３案内画像ＩＭ３の状態で、呼出先の住人が親機２で応答を行うと、第５案内画像ＩＭ５に遷移する。この場合、無効状態だった各機能ボタン１４０の機能は、第３機能群ＦＧ３の状態に切り替わる。
【００９３】
ここで第５案内画像ＩＭ５内には、２つのラベルＬ１０７、Ｌ１０８が含まれている。ラベルＬ１０７は「音量小」を示している。ラベルＬ１０８は「音量大」を示している。ラベルＬ１０７は表示領域Ｒ３内に表示され、ラベルＬ１０８は表示領域Ｒ４内に表示されている。ラベルＬ１０７の下の第３機能ボタン１４３、又はラベルＬ１０８の下の第４機能ボタン１４４が押されると、子機１の通話時における受話音量の変更が行われる。要するに、第３機能ボタン１４３が押される度に受話音量は小さくなり、逆に第４機能ボタン１４４が押される度に受話音量は大きくなる。なお、表示領域Ｒ１及びＲ２には、ラベルＬ１００が表示されておらず、第１機能ボタン１４１及び第２機能ボタン１４２が押されても、機能は何も実行されない。
【００９４】
親機２との通話が終わると、第５案内画像ＩＭ５から元の基本案内画像ＩＭ０に遷移し、各機能ボタン１４０の機能は、第３機能群ＦＧ３から第１機能群ＦＧ１に切り替わる。
【００９５】
このように本実施形態では、４つの機能ボタン１４０が設けられていることで、操作者Ｈ１は、各機能ボタン１４０に予め割り当てられている機能を直接実行することができる。また、１つの機能ボタン１４０に対応する機能も、表示画面１８０に表示されているラベル情報Ｌ１に応じて変化するため、機能ボタン１４０の数を超える数の機能を、子機１に付加できる。したがって、利便性の向上を図ることができる。
【００９６】
（３）変形例
上記実施形態は、本開示の様々な実施形態の一つに過ぎない。上記実施形態は、本開示の目的を達成できれば、設計等に応じて種々の変更が可能である。また、上記実施形態に係る子機側制御部１３と同様の機能は、インターホン玄関装置（子機１）の制御方法、コンピュータプログラム、又はコンピュータプログラムを記録した非一時的記録媒体等で具現化されてもよい。
【００９７】
以下、上記実施形態の変形例を列挙する。以下に説明する変形例は、適宜組み合わせて適用可能である。なお、以下では、上記実施形態を「基本例」と呼ぶこともある。
【００９８】
本開示における子機１は、例えば、子機側制御部１３等に、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における子機側制御部１３としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００９９】
また、子機１における複数の機能が、１つの筐体Ｘ１に集約されていることは子機１に必須の構成ではなく、子機１の構成要素は、複数の筐体に分散して設けられていてもよい。さらに、子機側制御部１３等、子機１の少なくとも一部の機能は、例えば、クラウド（クラウドコンピューティング）等によって実現されてもよい。反対に、上記実施形態のように、子機１の全ての機能が、１つの筐体Ｘ１に集約されていてもよい。
【０１００】
（３．１）変形例１
子機１が、制御装置３を介して、複数棟にわたって親機２との間で通信を行うように構成される場合、基本例では、数字ボタンＮ１とアスタリスクボタンＮ２とを組み合わせにより、呼出が行われている。第１棟の１０２４号室の親機２を呼び出す場合、「１＊１０２４」と入力することになる。
【０１０１】
本変形例では、機能ボタン１４０の機能に「棟」を選択できる機能が割り当てられている。図６Ａ〜６Ｃは、本変形例における案内画像の概略図を示す。
【０１０２】
本変形例の表示部１８は、特定のラベル情報Ｌ１を画像表示しているとき、複数の機能ボタン１４０のうち少なくとも１つは、各々が１又は複数の呼出先を含む複数の呼出対象群Ｇ１の中から、特定の呼出対象群Ｇ１を選択可能な機能を有する。ここで言う「呼出対象群Ｇ１」は、複数の呼出先（親機２）を含む「棟」に相当する。ただし「呼出対象群Ｇ１」は、呼出先（親機２）が１つであれば、例えば管理室、又は多目的ルームに相当してもよい。
【０１０３】
図６Ａは、本変形例の第６案内画像ＩＭ６を示す。第６案内画像ＩＭ６は、基本例の基本案内画面ＩＭ０に相当し、表示部１８は、センサ１７で来訪者等の人を検出すると、第６案内画像ＩＭ６の出力を開始する。表示画面１８０内の上部領域には「棟番号を選択してください」という案内情報が出力される。第６案内画像ＩＭ６では、第１機能ボタン１４１及び第２機能ボタン１４２に、棟を選択可能な機能が割り当てられている。本変形例では、ラベル情報Ｌ１は、第４ラベル情報Ｌ１４、及び第５ラベル情報Ｌ１５を含むことを想定する。第４ラベル情報Ｌ１４は、第６案内画像ＩＭ６（図６Ａ参照）のラベル情報である。第５ラベル情報Ｌ１５は、第８案内画像ＩＭ８（図６Ｃ参照）のラベル情報である。
【０１０４】
第４ラベル情報Ｌ１４は、例えば、ラベルＬ１０９〜Ｌ１１１を含んでいる。
【０１０５】
ラベルＬ１０９は「第１棟」を示している。操作者Ｈ１が、ラベルＬ１０９の下の第１機能ボタン１４１を押した後、部屋番号を入力して呼出ボタンＮ４を押すと、呼出中であることを案内する第７案内画像ＩＭ７（図６Ｂ参照）に遷移する。そして、第１棟の１０２４号室に対して呼出が開始される。
【０１０６】
ラベルＬ１１０は「第２棟」を示している。操作者Ｈ１が、ラベルＬ１１０の下の第２機能ボタン１４２を押した後、部屋番号を入力して呼出ボタンＮ４を押すと、第２棟の該当する部屋番号に対して呼出が開始される。
【０１０７】
ラベルＬ１１１は「お知らせ」を示している。ラベルＬ１１１の下の第３機能ボタン１４３が押されたときの機能は、基本例のラベルＬ１０３に対応する機能と共通のため、ここでは説明を省略する。
【０１０８】
ところで、第６案内画像ＩＭ６の画面状態のときに、操作者Ｈ１が、例えば、補助ボタンＰ１であるアスタリスクボタンＮ２を押し、その後に呼出ボタンＮ４を押すと、第８案内画像ＩＭ８（図６Ｃ参照）に遷移する。
【０１０９】
第５ラベル情報Ｌ１５は、例えば、ラベルＬ１１２〜Ｌ１１５を含んでいる。ラベルＬ１１２〜Ｌ１１４は、それぞれ、「キッズルーム」「集会場」「ゲストルーム」を示している。ラベルＬ１１５は、「管理室」を示している。要するに、補助ボタンＰ１を通じて、操作者Ｈ１は、選択可能な呼出対象群Ｇ１を、別の呼出対象群Ｇ１に切り替えることができる。
【０１１０】
操作者Ｈ１が、ラベルＬ１１２〜Ｌ１１５のいずれかの下にある機能ボタン１４０を押すと、該当する多目的ルーム又は管理室に設置されている親機２に呼出が開始される。
【０１１１】
この構成によれば、機能ボタン１４０により「棟」の選択が可能であり、利便性が更に向上される。また、補助ボタンにより、呼出対象群Ｇ１の数が機能ボタン１４０の数を超える場合でも、利便性が低下してしまう可能性を低減できる。
【０１１２】
なお、ラベルＬ１００に示されている「第１棟」「第２棟」「キッズルーム」等の名称は、基本例で説明した設定部１３０により適宜に変更できてよい。例えば、「第１棟」「第２棟」は、「ウエスト棟」「イースト棟」等に変更可能であってよい。
【０１１３】
（３．２）変形例２
変形例１では、補助ボタンＰ１の操作を通じて、選択可能な呼出対象群Ｇ１を、別の呼出対象群Ｇ１に切り替えている。しかし、この切り替えも、機能ボタン１４０の機能として割り当ててもよい。
【０１１４】
本変形例では、４つの機能ボタン１４０のうち少なくとも１つは、表示部１８が現在表示中のラベル情報Ｌ１を別のラベル情報Ｌ１が表示されるように表示画像（案内画像）を遷移させる機能を有する。図７Ａ及び図７Ｂは、本変形例における案内画像の概略図を示す。
【０１１５】
図７Ａは、本変形例の第９案内画像ＩＭ９を示す。第９案内画像ＩＭ９は、基本例の基本案内画面ＩＭ０に相当し、表示部１８は、センサ１７で来訪者等の人を検出すると、第９案内画像ＩＭ９の出力を開始する。表示画面１８０内の上部領域には「棟番号を選択してください」という案内情報が出力される。第９案内画像ＩＭ９では、第１〜第３機能ボタン１４１〜１４３に、棟を選択可能な機能が割り当てられている。また第４機能ボタン１４４に、表示画像を遷移するための機能が割り当てられている。
【０１１６】
本変形例では、ラベル情報Ｌ１は、第６ラベル情報Ｌ１６、及び第７ラベル情報Ｌ１７を含むことを想定する。第６ラベル情報Ｌ１６は、第９案内画像ＩＭ９（図７Ａ参照）のラベル情報である。第７ラベル情報Ｌ１７は、第１０案内画像ＩＭ１０（図７Ｂ参照）のラベル情報である。
【０１１７】
第６ラベル情報Ｌ１６は、例えば、４つのラベルＬ１１６〜Ｌ１１９を含んでいる。ラベルＬ１１６〜Ｌ１１９は、それぞれ、「第１棟」「第２棟」「第３棟」「次へ」を示している。操作者Ｈ１が、第９案内画像ＩＭ９の画面状態で、ラベルＬ１１６〜Ｌ１１８のいずれかの下の機能ボタン１４０を押した後、部屋番号を入力して呼出ボタンＮ４を押すと、該当する棟の部屋番号に対して呼出が開始される。一方、操作者Ｈ１が、第９案内画像ＩＭ９の画面状態で、ラベルＬ１１９の下の第４機能ボタン１４４を押すと、第９案内画像ＩＭ９から第１０案内画像ＩＭ１０に遷移する（図７Ｂ参照）。
【０１１８】
第１０案内画像ＩＭ１０は、例えば、４つのラベルＬ１２０〜Ｌ１２３を含んでいる。ラベルＬ１２０〜Ｌ１２３は、それぞれ、「第４棟」「第５棟」「第６棟」「お知らせ」を示している。
【０１１９】
この構成によれば、第４機能ボタン１４４が、現在表示中のラベル情報Ｌ１６を別のラベル情報Ｌ１７が表示されるように表示画像を遷移させる機能を有している。したがって、機能ボタン１４０の数よりも多くの機能を付加でき、またそのような場合であっても利便性が低下してしまう可能性を低減できる。
【０１２０】
特に、本変形例では、第４機能ボタン１４４が、複数の呼出対象群Ｇ１のうち選択可能な呼出対象群Ｇ１を切り替える機能を有している。つまり、操作者Ｈ１は、３つの選択可能な呼出対象群Ｇ１（第１棟〜第３棟）を、別の３つの選択可能な呼出対象群Ｇ１（第４棟〜第６棟）に切り替えることができる。したがって、呼出対象群Ｇ１の数が機能ボタン１４０の数を超える場合でも、利便性が低下してしまう可能性を低減できる。
【０１２１】
（３．３）その他の変形例
基本例では、機能ボタン１４０が、機械的に後方へ押し込み可能な操作部材Ｍ１として、表示部１８と別体に設けられている。しかし、表示部１８が、タッチパネルディスプレイを備える場合、機能ボタン１４０は表示画面１８０に画像表示されるものであってもよい。例えば、表示領域Ｒ１〜Ｒ４の各々の下に、機能ボタン１４０に相当するボタン形状の画像が出力されてもよい。操作者Ｈ１は、表示画面１８０上に出力される機能ボタン１４０に対して、タッチ操作を行うことで対応する各種の機能が実行されてもよい。
【０１２２】
なお、表示部１８が、タッチパネルディスプレイを備える場合、機能ボタン１４０以外のボタンＮ１〜Ｎ４も、表示画面１８０に画像表示されるものであってもよい。つまり、画面へのタッチ操作により、部屋番号の入力、呼出の確定、及び呼出の取り消し等が行えてもよい。要するに、タッチパネルディスプレイが、表示部１８と子機側操作部１４とを兼ねてもよい。
【０１２３】
基本例では、機能ボタン１４０の数が４つであるが、２つ以上であれば、特に限定されない。
【０１２４】
変形例２では、ラベルＬ１１９の「次へ」に相当する、表示画像を遷移させる機能が機能ボタン１４０に割り当てられている。例えば、「戻る」に相当する、表示画像を１つ手前の状態へ遷移させる機能が機能ボタン１４０に割り当てられてもよい。
【０１２５】
（４）利点
以上説明したように、第１の態様に係るインターホン玄関装置（子機１）は、操作部（子機側操作部１４）と、表示部（１８）と、を備える。操作部（子機側操作部１４）は、押し操作による操作入力を受け付ける複数の機能ボタン（１４０）を有する。表示部（１８）は、表示画面（１８０）を有する。表示部（１８）は、複数の機能ボタン（１４０）の機能を示すラベル情報（Ｌ１）を、複数の機能ボタン（１４０）の配置位置と対応する位置関係となるように画像表示する。各機能ボタン（１４０）が操作入力を受け付けたときに実行される機能は、表示画面（１８０）に表示されているラベル情報（Ｌ１）に応じて変化する。第１の態様によれば、利便性の向上を図ることができる。
【０１２６】
第２の態様に係るインターホン玄関装置（子機１）に関して、第１の態様において、複数の機能ボタン（１４０）は、表示画面（１８０）よりも下側に配置されている、押し込み可能な複数の操作部材（Ｍ１）を有することが好ましい。第２の態様によれば、例えば複数の機能ボタン（１４０）が表示画面（１８０）の左右の側や上側に配置されている場合に比べて、表示画面（１８０）が操作者Ｈ１の手等で隠れてしまい利便性が低下する可能性を低減できる。
【０１２７】
第３の態様に係るインターホン玄関装置（子機１）に関して、第２の態様において、複数の機能ボタン（１４０）は、表示画面（１８０）の下縁（Ｅ１）に沿って並んで配置されていることが好ましい。第３の態様によれば、複数の機能ボタン（１４０）とラベル情報（Ｌ１）に示されている機能との対応関係が更に分かり易くなる。また、インターホン玄関装置（子機１）全体としての外観上の見栄えも向上される。
【０１２８】
第４の態様に係るインターホン玄関装置（子機１）に関して、第２の態様又は第３の態様において、画像表示されるラベル情報（Ｌ１）は、複数の表示領域（Ｒ１〜Ｒ４）と、ラベル（Ｌ１００）と、を含むことが好ましい。複数の表示領域（Ｒ１〜Ｒ４）は、複数の機能ボタン（１４０）にそれぞれ一対一で対応することが好ましい。ラベル（Ｌ１００）は、複数の表示領域（Ｒ１〜Ｒ４）のいずれかの表示領域内に表示され、複数の機能ボタン（１４０）のうち対応する機能ボタン（１４０）の機能を示すことが好ましい。複数の表示領域（Ｒ１〜Ｒ４）の各々は、対応する機能ボタン（１４０）と隣り合う機能ボタン（１４０）の上側領域まではみ出ないように規定されていることが好ましい。第４の態様によれば、複数の機能ボタン（１４０）とラベル情報（Ｌ１）に示されている機能との対応関係が更に分かり易くなる。また、インターホン玄関装置（子機１）全体としての外観上の見栄えも向上される。
【０１２９】
第５の態様に係るインターホン玄関装置（子機１）に関して、第１の態様〜第４の態様のいずれか１つにおいて、ラベル情報（Ｌ１）は、文字列データを含むことが好ましい。表示部（１８）は、文字列データが所定の長さ以上であるとき、文字列データを複数の行又は列に分けて画像表示することが好ましい。第５の態様によれば、たとえ文字列データが所定の長さ以上であっても、複数の機能ボタン（１４０）とラベル情報（Ｌ１）に示されている機能との対応関係を分かり易くできる。また、インターホン玄関装置（子機１）全体としての外観上の見栄えも向上される。
【０１３０】
第６の態様に係るインターホン玄関装置（子機１）は、第１の態様〜第５の態様のいずれか１つにおいて、操作入力を行う操作者（Ｈ１）を撮像する撮像部（１１）を、更に備えることが好ましい。複数の機能ボタン（１４０）は、撮像部（１１）よりも下側に配置されていることが好ましい。第６の態様によれば、操作者Ｈ１が機能ボタン（１４０）の操作中において、操作者Ｈ１の手等が撮像部（１１）の撮像領域内に侵入してしまい操作者Ｈ１の顔を適切に撮像できない可能性を低減できる。
【０１３１】
第７の態様に係るインターホン玄関装置（子機１）に関して、第１の態様〜第６の態様のいずれか１つにおいて、表示部（１８）が特定のラベル情報（Ｌ１）を画像表示しているとき、以下の通りであることが好ましい。複数の機能ボタン（１４０）のうち少なくとも１つは、各々が１又は複数の呼出先を含む複数の呼出対象群（Ｇ１）の中から、特定の呼出対象群（Ｇ１）を選択可能な機能を有することが好ましい。また、複数の機能ボタン（１４０）のうち他の少なくとも１つは、複数の呼出対象群（Ｇ１）のうち選択可能な呼出対象群（Ｇ１）を切り替える機能を有することが好ましい。第７の態様によれば、例えば複数の呼出対象群（Ｇ１）の数が複数の機能ボタン（１４０）の数を超える場合でも、利便性が低下してしまう可能性を低減できる。
【０１３２】
第８の態様に係るインターホン玄関装置（子機１）に関して、第１の態様〜第７の態様のいずれか１つにおいて、操作部（子機側操作部１４）は、所定の機能を割り当て可能な補助ボタン（Ｐ１）を、更に有することが好ましい。第８の態様によれば、更に利便性の向上を図ることができる。
【０１３３】
第９の態様に係るインターホン玄関装置（子機１）に関して、第１の態様〜第８の態様のいずれか１つにおいて、表示部（１８）が特定のラベル情報（Ｌ１）を画像表示しているとき、以下の通りであることが好ましい。複数の機能ボタン（１４０）のうち少なくとも１つは、表示部（１８）が現在表示中のラベル情報（Ｌ１）を別のラベル情報（Ｌ１）が表示されるように表示画像（案内画像）を遷移させる機能を有することが好ましい。第９の態様によれば、複数の機能ボタン（１４０）の数よりも多くの機能を付加でき、またそのような場合であっても利便性が低下してしまう可能性を低減できる。
【０１３４】
第１０の態様に係るインターホン玄関装置（子機１）は、第１の態様〜第９の態様のいずれか１つにおいて、設定部（１３０）を、更に備えることが好ましい。設定部（１３０）は、外部からの所定の設定入力に基づいて、複数の機能ボタン（１４０）に対して機能の割り当てを設定することが好ましい。第１０の態様によれば、インターホン玄関装置（子機１）の設置環境、又は要望等に応じた機能の割り当てが可能となる。
【０１３５】
第１１の態様に係るインターホン玄関装置（子機１）に関して、第１０の態様において、設定部（１３０）は、外部からの特定の設定入力に基づいて、表示画面（１８０）に画像表示されるラベル情報（Ｌ１）を設定することが好ましい。第１１の態様によれば、インターホン玄関装置（子機１）の設置環境、又は要望等に応じたラベル表示が可能となる。
【０１３６】
第１２の態様に係るインターホン玄関装置（子機１）に関して、第１の態様〜第１１の態様のいずれか１つにおいて、ラベル情報（Ｌ１）は、第１ラベル情報（Ｌ１１）と、第２ラベル情報（Ｌ１２）と、を少なくとも含むことが好ましい。第１ラベル情報（Ｌ１１）は、第１機能群（ＦＧ１）を示す。第２ラベル情報（Ｌ１２）は、第２機能群（ＦＧ２）を示す。表示部（１８）は、第１ラベル情報（Ｌ１１）を第１画面状態において表示し、第２ラベル情報（Ｌ１２）を第２画面状態において表示することが好ましい。表示部（１８）が第１画面状態から第２画面状態へ遷移すると、各機能ボタン（１４０）が操作入力を受け付けたときに実行される機能も、第１機能群（ＦＧ１）から第２機能群（ＦＧ２）へ切り替わることが好ましい。第１２の態様によれば、各機能ボタン（１４０）に対応する機能の切り替えを容易に行うことができる。
【０１３７】
第１３の態様に係るインターホンシステム（１０）は、第１の態様〜第１２の態様のいずれか１つのインターホン玄関装置（子機１）と、当該インターホン玄関装置と通信する通信装置（例えば親機２）と、を備える。第１３の態様によれば、利便性の向上を図ることが可能なインターホンシステム（１０）を提供できる。
【０１３８】
第１４の態様に係る制御方法は、インターホン玄関装置（子機１）の制御方法である。インターホン玄関装置（子機１）は、操作部（子機側操作部１４）と、表示部（１８）と、を備える。操作部（子機側操作部１４）は、押し操作による操作入力を受け付ける複数の機能ボタン（１４０）を有する。表示部（１８）は、表示画面（１８０）を有する。制御方法は、第１ステップと、第２ステップと、を含む。第１ステップにて、複数の機能ボタン（１４０）の機能を示すラベル情報（Ｌ１）を、複数の機能ボタン（１４０）の配置位置と対応する位置関係となるように、表示部（１８）に、画像表示させる。第２ステップにて、各機能ボタン（１４０）が操作入力を受け付けたときに実行する機能を、表示画面（１８０）に表示されているラベル情報（Ｌ１）に応じて変化させる。第１４の態様によれば、利便性の向上を図ることが可能な制御方法を提供できる。
【０１３９】
第１５の態様に係るプログラムは、コンピュータシステムに第１４の態様における制御方法を実行させる。第１５の態様によれば、利便性の向上を図ることが可能な機能を提供できる。
【０１４０】
第２〜１２の態様に係る構成については、インターホン玄関装置（子機１）に必須の構成ではなく、適宜省略可能である。
【符号の説明】
【０１４１】
１  子機（インターホン玄関装置）
１１  撮像部
１４  子機側操作部（操作部）
１４０  機能ボタン
１８  表示部
１８０  表示画面
１３０  設定部
２  親機（通信装置）
１０インターホンシステム
Ｅ１  下縁
ＦＧ１  第１機能群
ＦＧ２  第２機能群
Ｇ１  呼出対象群
Ｈ１  操作者
Ｌ１  ラベル情報
Ｌ１１  第１ラベル情報
Ｌ１２  第２ラベル情報
Ｌ１００  ラベル
Ｍ１  操作部材
Ｐ１  補助ボタン
Ｒ１〜Ｒ４  表示領域
【図１】
2019193233.tif 000003
【図２】
2019193233.tif 000004
【図３】
2019193233.tif 000005
【図４】
2019193233.tif 000006
【図５】
2019193233.tif 000007
【図６】
2019193233.tif 000008
【図７】
2019193233.tif 000009